(57)【特許請求の範囲】
【請求項１】
ク溶性リン酸含有量が２５％以上であってク溶性リン酸中の水溶性リン酸含有量が７０％以下であるｐＨ４.４〜６.０の粉状リン酸物質を牛糞尿に添加してなることを特徴とするリン酸添加混合有機肥料。
【請求項２】
ク溶性リン酸含有量が２６％以上であってク溶性リン酸中の水溶性リン酸含有量が６５％以下であるｐＨ４.７〜６.０の粉状リン酸物質を用いる請求項１に記載するリン酸添加混合有機肥料。
【請求項３】
リン酸物質が苦土成分を含有する請求項１または請求項２に記載するリン酸添加混合有機肥料。
【請求項４】
請求項１〜請求項３の何れかに記載する混合有機肥料を脱水してなる粉状のリン酸添加混合有機肥料。
【発明の詳細な説明】
【技術分野】
【０００１】
本発明は、家畜の糞尿を主体としながら肥料成分のバランスが良く、かつ取扱性に優れたリン酸添加混合有機肥料に関する。
【背景技術】
【０００２】
現在、酪農において大量に発生する牛などの糞尿処理は、大きな問題となっている。糞尿の一部は堆肥にして使用されているが、液状の糞尿スラリーおよび尿の大部分はそのまま牧草地などに散布されている。しかし、投棄的に大量に散布されることや、垂れ流し状態であることなどのために、環境汚染の一因となっているのが実状である。また、糞尿は肥料成分として窒素と加里を含んでいるが、リン酸は殆ど含まれていない。このため糞尿を肥料として使用する場合には、糞尿とは別にリン酸肥料を施肥する必要があり、施肥作業が二度手間になる問題がある。
【０００３】
従来、牛糞尿にリン酸成分を補った肥料が知られており、例えば、牛糞尿にｐＨ６.２以上の窒素−リン酸系複合肥料を添加して肥料とする方法が提案されている（特許文献１）。しかし、添加する窒素−リン酸系複合肥料は水溶性の肥料であるため、雨によって流失する量が多く、また緩効性成分がほとんど無いために追肥が必要であるなどの問題を有している。さらに、添加する窒素リン酸系肥料が液状の場合は、高濃度のリン酸を含有するため取扱いに注意を要していた。また、使用する窒素リン酸系肥料はｐＨ６.２以上のアルカリ性に限定されている。これは一般的な水溶性を主成分とするｐＨ６.２より低い肥料は、牛糞尿に添加した時に激しく発泡するため使用できないからである。
【０００４】
また、牛糞などを化学反応させた後に生石灰を添加してアルカリ殺菌する工程、脱水工程、悪臭成分の分解工程、熟成工程を有する家畜糞尿処理方法が提案されており、この処理物として有機肥料が得られることが知られている（特許文献２）。しかし、この処理方法は悪臭の除去や汚染防止を主な目的にしており、従って得られる有機肥料のリン酸成分は必ずしも十分ではなく肥料成分のバランスが悪い。また、処理工程が大掛かりであり、小規模な実施には適さないなどの問題がある。
【特許文献１】特開平０３−１９３６８７号公報
【特許文献２】特開平０９−１４２９７７号公報
【発明の開示】
【発明が解決しようとする課題】
【０００５】
本発明は、牛や豚などの家畜糞尿を主原料にした肥料について、従来の上記問題を解決したものであり、ク溶性リン酸成分を主成分とした粉末状のリン酸肥料を添加することによって、肥料成分のバランスが良く、しかも混合時の発泡も殆ど無い取扱性に優れたリン酸添加混合有機肥料を提供する。
【課題を解決するための手段】
【０００６】
本発明は以下のリン酸添加混合有機肥料に関する。
〔請求項１〕
ク溶性リン酸含有量が２５％以上であってク溶性リン酸中の水溶性リン酸含有量が７０％以下であるｐＨ４.４〜６.０の粉状リン酸物質を牛糞尿に添加してなることを特徴とするリン酸添加混合有機肥料。
〔請求項２〕
ク溶性リン酸含有量が２６％以上であってク溶性リン酸中の水溶性リン酸含有量が６５％以下であるｐＨ４.７〜６.０の粉状リン酸物質を用いる請求項１に記載するリン酸添加混合有機肥料。
〔請求項３〕
リン酸物質が苦土成分を含有する請求項１または請求項２に記載するリン酸添加混合有機肥料。
〔請求項４〕
請求項１〜請求項３の何れかに記載する混合有機肥料を脱水してなる粉状のリン酸添加混合有機肥料。
【０００７】
〔具体的な説明〕
本発明のリン酸添加混合有機肥料は、家畜の糞尿にｐＨ４.４〜６.０以下のク溶性リン酸を含む粉状リン酸物質を添加してなることを特徴とするリン酸添加混合有機肥料である（以下、単に混合有機肥料と云う場合がある）。本発明の家畜糞尿は牛糞尿、豚糞尿などを用いることができる。また、家畜糞尿は固形状またはスラリー状の何れでも良い。
【０００８】
家畜糞尿に添加するリン酸物質は、ク溶性リン酸含有量が２５％以上であってク溶性リン酸中の水溶性リン酸含有量が７０％以下であるｐＨ６以下の粉状リン酸物質が用いられる。ク溶性リン酸含有量がこれより少なく、また水溶性リン酸含有量がこれより多いと、施肥後にリン酸成分の流失量が増大するので適当ではない。
【０００９】
上記リン酸物質は、ク溶性リン酸含有量が２６％以上であってク溶性リン酸中の水溶性リン酸含有量が６５％以下のリン酸物質が好ましい。このように水溶性リン酸が少なく、ク溶性リン酸の多いリン酸物質を添加することによって、施肥後のリン酸成分の流失を抑制することができる。ク溶性リン酸は緩効性であるので、施肥後の流失量が少ないことによって長期間土壌に存在して中長期的な施肥効果を発揮することができ、追肥の手間が不要になる。
【００１０】
さらに、上記リン酸物質はｐＨ４.４〜６.０が好ましい。ｐＨが６より高いと糞尿スラリーから生じるアンモニアの揮散を防止することができない。また、ｐＨが４.４以下であるとリン酸物質を添加した時の発泡が激しいので好ましくない。なお、ｐＨ４.７〜６.０のリン酸物質であれば、これを家畜糞尿に添加しても殆ど発泡を生じない。これは、上記リン酸物質としてリン酸一マグネシウム、リン酸一石灰、硫酸マグネシウム、リン酸ニマグネシウム、リン酸二石灰を含むリン酸肥料を用いた場合、ク溶性のリン酸ニマグネシウム、リン酸二石灰の存在によって、リン酸一マグネシウム、リン酸一石灰の溶解速度が遅くなったためと考えられる。
【００１１】
上記リン酸物質の添加量は、これを添加して得た混合有機肥料の窒素(N)およびリン酸(P2O5)の有効成分量比が対照作物に適した割合になるのが好ましい。例えば、牧草地の場合には、Ｐ2Ｏ5／Ｎが０.５〜５.０になるように添加するのが好ましい。
【００１２】
さらに、上記リン酸物質は苦土成分を含有するものが好ましい。家畜糞尿はカリの量が比較的多いので、このまま施肥するとマグネシウム欠乏症を招く懸念があるが、苦土成分を補充することによってこれを防止することができる。また、苦土成分を含有させることによってリン酸の吸収効果が向上し、収量の増加が期待できる。
【００１３】
上記リン酸物質は取り扱い易さのうえから粉状のものが好ましい。このリン酸物質としては一般に使用されている肥料、例えば、過リン酸石灰、重過リン酸石灰、焼成リン肥、加工リン酸肥料（苦土重焼燐など）、硫酸苦土肥料などを必要に応じて粉砕し、混合して用いることができる。
【００１４】
本発明のリン酸添加混合有機肥料は、家畜糞尿スラリーに上記リン酸物質を添加して十分に攪拌混合すればよい。また、これを脱水して粉状にすれば取扱性がさらに向上する。
【発明の効果】
【００１５】
本発明のリン酸添加混合肥料は、家畜の糞尿を有効に活用することができる。また、家畜糞尿を主原料にしながら肥料成分のバランスが良く、しかもク溶性リン酸成分を含むので施肥後の流失量が少なく、この緩効性リン酸成分によって中長期の肥料効果に優れており、追肥の必要がない。
【発明を実施するための最良の形態】
【００１６】
本発明を実施例および比較例によって具体的に示す。
【実施例１】
【００１７】
５Ｌのビーカーに、表２に示す牛糞尿スラリー２５００ｇ（約２.５Ｌ）を量り取り、表１に示した粉状リン酸肥料（No.１〜６）を各々１０ｇ（０.４％）、５０ｇ（２％）添加して撹拌し、発泡状態と体積増加を観察した。この結果を表３に示した。なお、０.４％添加は、今回使用した牛糞尿スラリーの有効成分に表１の粉状リン酸肥料を添加することによって肥料成分（窒素、リン酸、カリ）の割合が牧草地（火山性土壌、マメ科５％〜１５％未満）に適した肥料となる添加割合である。また、牛糞尿スラリーの組成等によってリン酸肥料の最適な添加量は変化するので、２％添加した場合についてもその効果を確認した。なお、表２の肥効率は家畜の糞尿に含まれている窒素(N)、リン酸(P2O5)、カリ(K2O)のうち、牧草に利用される割合を示している。
【００１８】
【表１】
0004831391.tif 000002
【００１９】
【表２】
0004831391.tif 000003
【００２０】
【表３】
0004831391.tif 000004
【００２１】
表３に示すように、No.２〜No.６のリン酸肥料を添加したものは、添加時の発泡が抑制されており、肥料成分のバランスが良い混合有機肥料を得ることできる。一方、水溶性リン酸成分の多い試料No.１を用いたものは添加時の発泡が著しい。
【実施例２】
【００２２】
床面がメッシュの試験箱（幅29.5cm×奥行12cm×高さ8cm）に風乾した土壌１５００ｇを入れて表面を平らにし、底部から僅かに水が流れ出るまで灌水した後に２４時間放置した。次いで、この試験箱に実施例１のNo.４およびNo.６の混合有機肥料（粉状リン酸肥料０.４％添加品）２５０ｇを均一に散布した後、１時間毎に３５０ml（降水量１０mmに相当）の水を灌水し、底部から流れ出た水に含まれるリン酸量を測定した。一方、比較例として、ク溶性リン酸を含まず水溶性リン酸を主成分とするリン酸水素アンモニウムをリン酸成分量がNo.４およびNo.６と同等になるように添加して用いた他は同一の条件で試験箱を灌水し、底部から流れ出た水に含まれるリン酸量を測定した。使用した混合有機肥料の有効成分を表４に示した。また、この有機肥料によって土壌表面に散布されたリン酸量を表５に示し、流出したリン酸量を表６に示した。
【００２３】
【表４】
0004831391.tif 000005
【００２４】
【表５】
0004831391.tif 000006
【００２５】
【表６】
0004831391.tif 000007
【００２６】
本発明のNo.４およびNo.６の混合有機肥料を用いた場合には、流出したリン酸量が少ないが、比較試料では流出したリン酸量が多く、牛糞尿スラリーに添加したリン酸が短期間に流失することが確認された。